(57)【要約】【課題】ハンドピースをインスツルメントホルダから取り出す時に、インスツルメントホースがハンドピース懸架用の孔の前面に設けられた切り欠き部（開口部）を通りやすくして、ハンドピースのインスツルメントホルダへの収納及び取り出しを容易にする。【解決手段】インスツルメントホルダ４は、歯科治療用ハンドピース部（把持部）２を懸架する孔５を有する縦置型インスツルメントホルダである。前記ハンドピース懸架孔５の前記切り欠き部（開口部）５’はハンドピース部（把持部）２の径より大きく形成され、内周部には磁石１１を有する。ハンドピース部２の外周には磁性体１０が設けられており、該磁石の磁気吸引力によりハンドピース部２を吸着保持する。【選択図】図１
2007159773.tif 000002
【特許請求の範囲】
【請求項１】
歯科治療用ハンドピースを懸架するハンドピース懸架孔を有しかつ該懸架孔の前部に前記ハンドピースに連結されたインスツルメントホースが通過する切り欠き部を有する縦置型インスツルメントホルダにおいて、前記切り欠き部の幅を前記ハンドピースの径より大きくするとともに、前記ハンドピース懸架孔の内周部に磁石を有し、該磁石の磁気吸引力によって前記ハンドピースを前記ハンドピース懸架孔内に吸着保持するようにしたことを特徴とする歯科用インスツルメントホルダ。
【請求項２】
前記磁石の下方に前記ハンドピースを支持するための突起を、前記スリットの後方から該スリット内に延長して有することを特徴とする請求項１に記載の歯科用インスツルメントホルダ。
【請求項３】
請求項１に記載の歯科用インスツルメントホルダと共に使用する歯科治療用ハンドピースであって、該ハンドピース周辺に磁性体を有することを特徴とする歯科治療用ハンドピース。
【請求項４】
請求項２に記載の歯科用インスツルメントホルダと共に使用する歯科治療用ハンドピースであって、該ハンドピースは周辺に磁性体を有するとともに、該磁性体の下部に前記インスツルメントホルダに設けられた前記突起の上に係合する拡大径部を有することを特徴とする歯科治療用ハンドピース。
【発明の詳細な説明】
【技術分野】
【０００１】
本発明は、縦型懸架式の歯科用インスツルメントホルダ及び該インスツルメントホルダと共に用いて効果的な歯科治療用ハンドピースに係り、より詳細には、歯科治療用ハンドピースをインスツルメントホルダに設けられた磁石を用いて該インスツルメントホルダに着脱自在に装着し得るようにするとともに該インスツルメントホルダの前面から取り出せるようにし、もって、ハンドピースをインスツルメントホルダに懸架し或いは取り出す時のハンドピースの操作を容易にしたものである。
【背景技術】
【０００２】
図２は、従来の口腔内バキューム装置の一例を説明するための図で、図中、１はバキューム管、２は該バキューム管１が着脱自在に連結される握持部（ハンドピース部）、３は該握持部（ハンドピース部）２に着脱自在に連結されるバキュームホースで、該バキュームホース３の図示しない端部は、バキュームポンプに連結されている。この握持部（ハンドピース部）２は、周知のように、常時は、インスツルメントホルダ４に設けられたハンドピース挿通懸架孔５を縦方向（垂直方向）に通して懸架されているが、歯科治療中、患者の口腔内に汚物が発生した時等においては、ハンドピース部（把持部）２を上方に持ち上げてハンドピース挿通懸架孔５から取り出し、次いで、インスツルメントホース３を該ハンドピース挿通懸架孔５の前方に設けられた切り欠き部（開口部）５’を通して取り出して、該ハンドピース部２の動きをフリーにし、バキューム管１の先端を患者の口腔内に入れ、口腔内の汚物、例えば、抜歯，止血ガーゼ等を吸引・排出して口腔内を清掃するために使用される。
【０００３】
なお、図２に示したインスツルメントホルダ４には、バキューム管１の他にシリンジ６，排唾管７等が懸架されているが、該インスツルメントホルダ４には、その他に、エアータービン，マイクロエンジン等、歯科治療に使用される種々のハンドピースを懸架することが可能であり、これらも、前記バキューム管と同様、常時（非使用時）は、インスツルメントホルダ４に懸架されており、歯科治療時、必要に応じて、該インスツルメントホルダ４から取り出されて使用される。本発明は、これらいずれのハンドピースに対しても適用可能であるが、以下には、インスツルメントホースとして本発明が最も効果的に適用されるジャバラホースを使用したバキューム管に本発明を適用した場合について説明する。
【０００４】
図３は、前記バキューム管１をインスツルメントホルダ４から取り出して使用する時の様子を示す図で、バキューム管１のインスツルメントホース３としては、一般に、ジャバラホースが使用されており、把持部（ハンドピース部）２をインスツルメントホルダ４から取り出す時、又は、インスツルメントホルダ４に懸架する時に、ジャバラホース３がインスツルメントホルダ４のインスツルメント挿通用懸架孔５の切り欠き部（開口部）５’に引っかかり、操作性が悪かった。
【０００５】
而して、従来のインスツルメントホルダ４のハンドピース挿通孔懸架孔５は下部の径がハンドピース部（把持部）２の径より小さく形成されており、これによって、ハンドピース部２がインスツルメントホルダ４から脱落しないように保持している。ハンドピース（例えば、バキューム管１）をインスツルメントホルダ４から取り外す時、術者は、ハンドピースの把持部２を手にもって上方に引き出し、次いで、ハンドピース挿通懸架孔５の前方の切り欠き部（開口部）５’を通してインスツルメントホース３をインスツルメントホルダ４の前面から引き出すようにしている。
【０００６】
換言すれば、インスツルメントホルダ４のハンドピース挿通懸架孔５は、ハンドピース部（把持部）２が上方から挿通可能であり、かつ、挿通された時に落下しないように、下方の孔径がハンドピース部（把持部）２の外径より小さく構成されており、これにより、ハンドピース（把持部）２をインスツルメントホルダ４のハンドピース挿通懸架孔５内に懸架しており、かつ、ハンドピース挿通孔懸架５の前方の切り欠き部（開口部）５’の幅を把持部（ハンドピース部）２の径より小さくして、該ハンドピース部２が該切り欠き部（開口部）５’を通して前方に倒れ落ちないようにしており、かつ、切り欠き部（開口部）５’の幅をインスツルメントホース３の径より大きくし、該切り欠き部（開口部）５’を通してインスツルメントホース３をインスツルメントホルダ４の前方に引き出すようにしている。
【発明の開示】
【発明が解決しようとする課題】
【０００７】
上述のごときハンドピース部（把持部）とインスツルメントホースとインスツルメントホルダとの関係において、ハンドピース部（把持部）をインスツルメントホルダから取り出す時に、インスツルメントホースがハンドピース挿通懸架用孔の前面に設けられた切り欠き部（開口部）を通りやすくして、ハンドピース部（把持部）のインスツルメントホルダへの収納及び取り出しを容易にすることを目的としてなされたものである。
【課題を解決するための手段】
【０００８】
請求項１の発明は、歯科治療用ハンドピースを懸架するハンドピース懸架孔を有しかつ該懸架孔の前部に前記ハンドピースに連結されたインスツルメントホースが通過する切り欠き部を有する縦置型インスツルメントホルダにおいて、前記切り欠き部の幅を前記ハンドピースの径より大きくするとともに、前記ハンドピース懸架孔の内周部に磁石を有し、該磁石の磁気吸引力によって前記ハンドピースを前記ハンドピース懸架孔内に吸着保持するようにしたことを特徴としたものである。
【０００９】
請求項２の発明は、請求項１の発明において、前記磁石の下方に前記ハンドピースを支持するための突起を、前記スリットの後方から該スリット内に延長して有することを特徴としたものである。
【００１０】
請求項３の発明は、請求項１の発明と共に使用する歯科治療用ハンドピースであって、該ハンドピース周辺に磁性体を有することを特徴としたものである。
【００１１】
請求項４の発明は、請求項２の発明と共に使用する歯科治療用ハンドピースであって、該ハンドピースは周辺に磁性体を有するとともに、該磁性体の下部に前記インスツルメントホルダに設けられた前記突起の上に係合する拡大径部を有することを特徴としたものである。
【発明の効果】
【００１２】
本発明によると、歯科用ハンドピースを垂直に懸架する縦置型のインスツルメントホルダにおいて、ハンドピースを懸架する孔の前面に設けられた切り欠き部（開口部）の幅をハンドピースの幅より広くするとともに、該ハンドピース懸架孔の内周辺に磁石を設け、該磁石によりハンドピースを該ハンドピース懸架孔に吸着保持するようにしたので、該ハンドピースの該ハンドピース懸架孔内への収納、或いは、該ハンドピース懸架孔からの取り出しが容易になり、ハンドピースの取り扱いが楽になった。
【発明を実施するための最良の形態】
【００１３】
図１は、本発明による歯科用インスツルメントホルダ及び歯科治療用ハンドピースの一実施例を説明するための要部概略斜視図で、図１（Ａ）は、本発明が適用されたハンドピース（インスツルメント）、図１（Ｂ）は本発明が適用されたインスツルメントホルダを示す図で、本発明においては、ハンドピース部（把持部）２にはＳＵＳ６３０等の磁性部材１０が設けられており、インスツルメントホルダ４のハンドピース懸架孔５の内周部には磁石１１が設けられている。
【００１４】
図１（Ｃ）は、図１（Ａ）に示した磁性部材１０を有するハンドピース部（把持部）２をインスツルメントホルダ４に装着または取り出す時の様子を示す図で、本発明によると、インスツルメントホルダ４のハンドピース装着（懸架）孔５の前面開口部（切り欠き部）５’を広く構成し、ハンドピース（把持部）２を該切り欠き部５’を通して前方に引き出せるようにするとともに、ハンドピース部（把持部）２に設けられた磁性部材１０とハンドピース装着（懸架）孔５の内周部に設けられた磁石１１との磁気吸着により、ハンドピース部（把持部）２をインスツルメントホルダ４に着脱可能としている。ハンドピース部（把持部）２の径は、インスツルメントホース３の径より大きく構成されており、従って、ハンドピース部（把持部）２をハンドピース装着孔５から引き出すときに、該インスツルメントホース３がハンドピース装着孔５の開口部（切り欠き部）５’に引っかかるようなことはなく、術者はハンドピースを容易にインスツルメントホルダから取り出し、或いは、インスツルメントホルダに収納することができる。
【００１５】
なお、以上には、インスツルメントホースとして、ジャバラを用いたバキューム管に本発明を適用した例について説明したが、本発明は、バキューム管に限らず、その他のインスツルメント、例えば、排唾管，シリンジは勿論のこと、エアータービン、マイクロエンジン等の懸架保持にも適用可能であることは容易に理解できる。
【００１６】
図１（Ｃ）において、５ａはハンドピース装着孔５の下部において、該ハンドピース装着孔５の後方から前方に延長した突起で、ハンドピース部（把持部）２の拡大径部（鍔部）２ａが該突起部５ａの上に載るようになっており、これにより、ハンドピース部がインスツルメントホルダ４から落下しないように保持され、かつ、磁石１１によって、ハンドピース部２がハンドピース装着孔５の奥の方に吸引固定され、これにより、ハンドピース部２をハンドピース装着（懸架）孔内に確実に保持されるようになっている。
【図面の簡単な説明】
【００１７】
【図１】本発明によるインスツルメントホルダの適用状態を説明するための要部概略構成図である。
【図２】本発明が適用される従来のインスツルメントホルダの一例を説明するための要部構成図である。
【図３】図２に示した従来のインスツルメントホルダの一使用状態を説明するための図である。
【符号の説明】
【００１８】
１…バキューム管、２…ハンドピース部（把持部）、３…インスツルメントホース、４…インスツルメントホルダ、５…インスツルメント懸架（装着）孔、５’…開口部（切り欠き部）、５ａ…ハンドピース支持用突起、６…シリンジ、７…排唾管、１０…磁性体、１１…磁石。
【図１】
2007159773.tif 000003
【図２】
2007159773.tif 000004
【図３】
2007159773.tif 000005